(57)【特許請求の範囲】
【請求項１】
対物レンズが取り付けられたレンズホルダと、導電性で且つ細長状に形成された複数の弾性部材を介して前記レンズホルダを移動可能に支持する支持部と、前記レンズホルダに設けられ前記弾性部材を介して電流が供給される駆動コイルと、該駆動コイルを通過する磁束を発生させる磁石とを有し、前記駆動コイルに流れる電流と前記磁石の磁束とによって生ずる電磁力により前記レンズホルダをフォーカス方向とトラッキング方向の少なくとも一方へ駆動する対物レンズ駆動装置において、前記支持部には、合成樹脂から形成された固定部材と、その両端部がそれぞれ前記固定部材から突出した状態で該固定部材に埋設された複数の金属板とが設けられ、各金属板の第１端部はフォーカス方向と略直交する方向に延伸していると共にこの第１端部に前記弾性部材の基端部が半田付けされ、各金属板の第２端部は固定部材の一つの面から突出して且つ互いに同一面上に位置し、この第２端部にフレキシブルプリント基板が接続され、この第２端部から供給された電流が前記弾性部材を介して前記駆動コイルに伝達されることを特徴とする対物レンズ駆動装置。
【請求項２】
前記金属板の第１端部には、前記弾性部材の基端部が半田付けされる個所の近傍に幅狭部が形成されている請求項１記載の対物レンズ駆動装置。
【請求項３】
前記支持部は、前記弾性部材が挿通されると共にダンパー剤が充填される挿通部を有する保持部材を備え、前記挿通部の端面が前記金属板の第１端部と隙間を介して対向するように前記固定部材と前記保持部材とが接続された請求項１記載の対物レンズ駆動装置。
【請求項４】
前記保持部材の挿通部は、前記弾性部材の長手方向に沿って貫通していると共に前記長手方向と交差する方向にも開口している請求項３記載の対物レンズ駆動装置。
【請求項５】
前記固定部材の上面には段部が形成され、前記保持部材には下面側に開口する嵌合溝が形成されており、前記段部を前記嵌合溝に嵌合させることにより前記保持部材が前記固定部材に取り付けられている請求項３記載の対物レンズ駆動装置。
【発明の詳細な説明】
【０００１】
【発明の属する技術分野】
本発明は、コンパクトディスク（ＣＤ）、ディジタルバーサタイルディスク（ＤＶＤ）、ミニディスク（ＭＤ）、光磁気ディスクなどの各種記録媒体に対し、記録データの再生を行い、または記録のための光エネルギーを与える光ヘッドにおいて、フォーカス及びトラッキング制御のために対物レンズを作動する対物レンズ駆動装置に関する。
【０００２】
【従来の技術】
上記のような各種の光を利用した記録媒体の再生及び記録のために、従来から例えば図５に示すような光ピックアップ５１が用いられている。この光ピックアップ５１は、光ディスクの半径方向に移動する基台上に固定されるベース５２上に、ポリカーボネート等により成形される支持基台５３が固定され、またベース５２に一体に折曲形成された略コの字形状のヨーク５４が設けられており、これに磁石５５が支持されている。一方の磁石５５の周囲には、レンズホルダ５９に取着されたフォーカスコイル及びトラッキングコイル（図示せず）が対向して配置され、制御装置から各コイルに制御電流を供給することにより、レンズホルダ５９に固定された対物レンズ５７が、上下方向（Ｚ方向）、及び左右方向（Ｙ方向）に所定量だけ移動可能となっている。フォーカスコイルによりＹ方向に流れる電流と、磁石５５間の磁界とで、Ｚ方向への電磁力が発生し、これによりレンズホルダ５９に保持された対物レンズ５７のフォーカス補正が行われる。また、トラッキングコイルによりＺ方向に流れる電流によってＹ方向への電磁力が発生し、これにより対物レンズ５７のトラッキング補正が行われる。
【０００３】
ベース５２上に固定された支持基台５３の両側には、Ｘ方向へ貫通し且つＺ方向へ長孔状の開口を有するワイヤ挿通部５８が形成され、その支持基台５３の背部に形成した突出部には、後述する基板６０が固定されている。基板６０には左右両側に各々２本、合計４本の弾性を有するワイヤ６１の基端が半田により固定され、各ワイヤ６１の先端がレンズホルダ５９に設けた左右のフランジ６２に固定されることにより、前記対物レンズ５７、フォーカスコイル、トラッキングコイルを取り付けているレンズホルダ５９がＹ方向とＺ方向に可動状態で支持されている。
【０００４】
基板６０は図６に示すように、金属補強板６３上にこれと略同形状のフレキシブルプリント基板（以下「ＦＰＣ」という）６４を接着し一体化しており、このように一体化してなる基板６０を、図８に示すように支持基台５３の背面中央に突設した基板固定部６５に、基板６０の金属補強板６３の中央部分を貼り付けて固定している。それにより支持基台５３に貼り付けられた基板６０の両側のワイヤ支持部６９は、図８に示すように、支持基台５３の両側に設けたワイヤ挿通部形成部分の背面６７と対向するように配置される。支持基台５３のワイヤ挿通部５８には前記ワイヤ６１が貫通し、更に基板６０の金属補強板６３の開口６８とＦＰＣ６４の開口７０を貫通して基板６０の背面に突出し、突出部７１となっている。
【０００５】
ワイヤ６１の前記突出部７１とＦＰＣ６４のランド部７２とを、図７に示すように半田７３で半田付けすることにより、支持基台５３に固定された金属補強板６３により補強されている基板６０に対し、各ワイヤ６１がＦＰＣ６４と導電状態で固定される。それにより、前記のように各ワイヤ６１の先端に固定したレンズホルダ５９を４本のワイヤ６１により支持し、かつ、各ワイヤ６１の先端が固定されるレンズホルダ５９のフランジ６２において、前記フォーカスコイル及びトラッキングコイルのリード線と各ワイヤ６１とを接続することによって、外部の制御装置から供給される電流をＦＰＣ６４及びワイヤ６１を介して各コイルに給電している。
【０００６】
このようにして組み立てられた光ピックアップ５１に対して、支持基台５３のワイヤ挿通部５８に対し、図７の左側に位置する第１開口部７４から注入器によりダンパー材を注入する。ダンパー材は紫外線硬化性を有し、最初はある程度流動性のある状態でワイヤ挿通部５８に注入され、所定の注入終了後に紫外線を照射することによりゲル状となる。このゲルの性状は、そのダンパー剤の材質を任意に選択することにより自由に設定することができる。前記第１開口部７４から注入されるダンパー材は、逆側の第２開口部７５から一部流出し、基板６０の金属補強板６３と支持基台５３の背面６７との間隙Ｄ内にも流入し、その状態で紫外線を照射して硬化し、ゲル状とする。
【０００７】
上記のダンパー剤は、支持基台５３内のワイヤ挿通部５８においてワイヤ６１の外周に接触して直接作用し、また、基板６０と支持部材５３の背面６７間において基板６０に接触して作用することによって、前記フォーカスコイル及びトラッキングコイルへの給電により、対物レンズ５７のフォーカス方向への移動、及びトラッキング方向への移動をフィードバック制御しながら行う際に、対物レンズ５７の弾性支持装置としての各ワイヤ６１が高次振動し、また、この振動に伴ってワイヤ６１を弾性的に支持している基板６０が副共振することを抑制している。
【０００８】
【発明が解決しようとする課題】
上記従来の光ピックアップ５１における対物レンズ駆動装置において、各ワイヤ６１を固定する基板６０は、ワイヤ６１を弾性的に支持する必要があり、また、長期間使用してもクリープ等を生じないようにする必要があるため、適宜の材質、厚さ、形状に設定された金属補強板６３を用いている。この金属補強板６３は導電性のため、ワイヤ６１を金属補強板６３の開口６８を貫通させてＦＰＣ６４に対して半田付けして接続する際に、このワイヤ６１が金属補強板６３に接触することがないようにしなければならい。そのため、金属補強板６３の開口６８は、部品の寸法誤差や、組立時の誤差を考慮に入れて、図６及び図７に示すように、ＦＰＣ６４の開口７０よりも充分に大きく形成している。
【０００９】
このように、金属補強板６３には充分大きな開口６８を形成する必要があると共に、所定の剛性を有するように設定するため、その高さ寸法Ｈを小さくするには限界がある。また、ＦＰＣ６４のランド部７２にワイヤ６１を確実に半田付けするために、ランド７２の大きさを小さくすることはできず、この点からも基板６の高さを小さくするには限界を生じ、基板６および支持基台５３をはじめとして装置全体が大型化し、高価な装置となると共に、光ピックアップ５１全体の高さを低くする際の制約となっていた。また、金属補強板６３の略全面に高価なＦＰＣ６４を貼る必要があり、この点もコストアップの要因となっていた。
【００１０】
また、その製造に際して、金属補強板６３にＦＰＣ６４をずれないように貼り付けて基板６０を製造し、更にこの基板６０を支持基台５３の基板固定部６５に対してずれないように貼り付けて固定し、金属補強板６３の開口６８とＦＰＣの開口７０にワイヤ６１を貫通させ、このワイヤ６１をＦＰＣ６４のランド７２に対して正確に半田付けする必要があり、製造に際して多くの注意力を必要とし、作業性が悪かった。
【００１１】
したがって、本発明は、薄型化が可能であるとともに、安価に、且つ容易に製造できる対物レンズ駆動装置を提供することを主たる目的としている。
【００１２】
【課題を解決するための手段】
本発明は、上記課題を解決するため、対物レンズが取り付けられたレンズホルダと、導電性で且つ細長状に形成された複数の弾性部材を介して前記レンズホルダを移動可能に支持する支持部と、前記レンズホルダに設けられ前記弾性部材を介して電流が供給される駆動コイルと、該駆動コイルを通過する磁束を発生させる磁石とを有し、前記駆動コイルに流れる電流と前記磁石の磁束とによって生ずる電磁力により前記レンズホルダをフォーカス方向とトラッキング方向の少なくとも一方へ駆動する対物レンズ駆動装置において、前記支持部には、合成樹脂から形成された固定部材と、その両端部がそれぞれ前記固定部材から突出した状態で該固定部材に埋設された複数の金属板とが設けられ、各金属板の第１端部はフォーカス方向と略直交する方向に延伸していると共にこの第１端部に前記弾性部材の基端部が半田付けされ、各金属板の第２端部は固定部材の一つの面から突出して且つ互いに同一面上に位置し、この第２端部にフレキシブルプリント基板が接続され、この第２端部から供給された電流が前記弾性部材を介して前記駆動コイルに伝達されることを特徴とする対物レンズ駆動装置としたものである。
【００１３】
また、前記金属板の第１端部には、前記弾性部材の基端部が半田付けされる個所の近傍に幅狭部を形成したものであり、また、前記支持部は、前記弾性部材が挿通されると共にダンパー剤が充填される挿通部を有する保持部材を備え、前記挿通部の端面が前記金属板の第１端部と隙間を介して対向するように前記固定部材と前記保持部材とを接続したものであり、また、前記保持部材の挿通部は、前記弾性部材の長手方向に沿って貫通していると共に前記長手方向と交差する方向にも開口させたものであり、また、前記固定部材の上面には段部が形成され、前記保持部材には下面側に開口する嵌合溝が形成されており、前記段部を前記嵌合溝に嵌合させることにより前記保持部材を前記固定部材に取り付けたものである。
【００１４】
【発明の実施の形態】
本発明の実施の形態を図面に沿って説明する。図１は本発明による対物レンズ駆動装置１の部分斜視図であり、図２はこの対物レンズ駆動装置１を構成する主要部材であるワイヤ固定部材２と保持部材３とを組み立てる前の状態を示す分解斜視図であり、図３はワイヤ固定部材２のＬ型金属板におけるワイヤ固定部近傍を示す斜視図である。なお、本発明の対物レンズ駆動装置において、ワイヤの基端を支持するための支持構造を除いては図５に示す従来の対物レンズ駆動装置と同様の構成であるので、その詳細な説明は省略する。
【００１５】
ワイヤ固定部材２は、ＬＣＰやＰＰＳ等の耐熱性の合成樹脂からなり、その内部に４個の第１乃至第４Ｌ型金属板５，６，７，８がインサート成型等により一体化して埋設されている。第１Ｌ型金属板５は、ワイヤ通孔１１が形成された第１端部としてのワイヤ支持端部１０が、ワイヤ固定部材２の側壁９からＹ方向（トラッキング方向）に突出しており、ワイヤ固定部材２内で図中破線で示すように下方に屈曲され、ワイヤ固定部材２の下面から第２端部としてのＦＰＣ接続端部１２が突出している。第２Ｌ型金属板６は前記第１Ｌ型金属板５と平行に配置され、ワイヤ通孔１１が形成されたワイヤ支持端部１０が側壁９から突出し、ワイヤ固定部材２内で屈曲され、ワイヤ固定部材２の下面からＦＰＣ接続端部１２が突出している。第１Ｌ型金属板５及び第２Ｌ型金属板６と左右対称に、第３Ｌ型金属板７と第４Ｌ型金属板８が同様の構成で配置されている。各Ｌ形金属板５，６，７，８は、金属の帯板をプレス加工してフープ状とされた状態でワイヤ固定部材２の成形の金型内に搬入され、インサートまたはアウトサー成形によってこのワイヤ固定部材２と一体化された後、その第１端部と第２端部が切断されることによって形成されたものである。
【００１６】
これらの第１乃至第４Ｌ型金属板は同一平面上に配置され、それにより第１及び第２Ｌ型金属板５，６のワイヤ支持端部１０の表面は、ワイヤ固定部材２の図中左側側方において同一面に位置し、同様に第３及び第４Ｌ型金属板７，８のワイヤ支持端部１０の表面は、ワイヤ固定部材２の図中右側側方において、同一面に位置している。更に、第１乃至第４Ｌ型金属板５，６，７，８のＦＰＣ接続端部１２の表面は、ワイヤ固定部材２の下面の下方において全て同一面に位置している。また、ワイヤ固定部材２の上面１４の前方には、図２に示すように段部１５が形成されている。
【００１７】
保持部材３はポリカーボネート等の透明樹脂からなり、下面中央から上方に、後述するワイヤ固定部材２が係合する嵌合溝１６が形成され、この嵌合溝１６の両側壁間は、前記ワイヤ固定部材２の巾と略等しく設定され、両者が遊びなく嵌合できるようになっている。また、保持部材３の両側には、下方から上方に延びるワイヤ挿通部１７が形成されており、このワイヤ挿通部１７においてワイヤの長手方向と交差する方向には、後述するダンパー剤を注入する側面穴２０が開口している。
【００１８】
このように構成されたワイヤ固定部材２と保持部材３は、保持部材３の嵌合溝１６にワイヤ固定部材２を嵌合させ、ワイヤ固定部材２の段部１５を保持部材３の端面２９に当接させた状態で接着剤により固定される。その結果、ワイヤ固定部材２と保持部材３は図１のように組み立てられて一体化され、図５に示すレンズホルダ５９を複数のワイヤ２２を介してＺ方向（フォーカス方向）およびＹ方向（トラッキング方向）に移動可能に支持する支持部が構成されている。このようにワイヤ固定部材２と保持部材３とを分割して成形することにより、Ｌ型金属板５，６，７，８をインサート成形しつつ、複雑な形状のワイヤ挿通部１７や側面穴２０を形成することができる。また、後述するダンパー剤を注入して紫外線を照射する際に、ダンパー剤を保持する保持部材３には透明な樹脂を選択し、この保持部材３を通してダンパー剤に紫外線を照射できるようにし、一方、ワイヤ固定部材２にはＬ型金属板５，６，７，８をインサート成型しやすい耐熱性樹脂を選択する等、各部材の機能に適した材質の樹脂を選択することができる。
【００１９】
上記のように一体化されたワイヤ固定部材２と保持部材３において、Ｌ型金属板５，６，７，８のワイヤ支持端部１０と保持部材３のワイヤ挿通部端面２１間には間隙が形成される。保持部材３のワイヤ挿通部１７に挿通された４本のワイヤ２２は、各々Ｌ型金属板５，６，７，８のワイヤ通孔１１を貫通して後方に突出し、その突出部２３とワイヤ支持端部１０の背面とが半田２６により固定される。また、ワイヤ固定部材２の下端面から突出するＬ型金属板５，６，７，８の各ＦＰＣ接続端部１２に対し、図１に示すようにＦＰＣ１９の端部の対応する各導電部が半田付けにより接続される。
【００２０】
各Ｌ型金属板５，６，７，８のワイヤ支持端部１０は、図３にその一部拡大図を示すように、ワイヤ通孔１１を中心とした左右の両側部分に上下面からＵ字型の切込み２５が形成され、幅狭部３９が構成されている。それにより、ワイヤ通孔１１を貫通して突出したワイヤ２２の突出部２３とワイヤ支持端部１０の背面とを半田２６により固定するとき、その熱がＬ型金属板全体に拡散することなくワイヤ通孔１１周辺に留まるようにし、半田フィレットが安定的に形成されるようにしている。なお、幅狭部３９はワイヤ通孔１１の一方側の側部にのみ設けても良い。各Ｌ形金属板５，６，７，８の上記切込み２５より端部に形成される先端部２７は、保持部材３のワイヤ挿通部端面２１と対向している。
【００２１】
このように組み立てられた対物レンズ駆動装置１には、前記従来例と同様に、保持部材３のワイヤ挿通部１７内にダンパー剤が注入される。このダンパー剤は注入時にはある程度の流動性を有するので、ワイヤ挿通部１７にダンパー剤を注入するとき、流動によりＬ型金属板５，６，７，８における先端部２７とワイヤ挿通部端面２１との間隙にも入り込む。あるいは、粘度の高いダンパー剤を使用する場合は、上記先端部２７とワイヤ挿通部端面２１との間隙に別途ダンパー剤を注入する。この状態でダンパー剤に紫外線を照射すると、ダンパー剤は硬化し所定の性状にゲル化する。この時、保持部材３は透明なポリカーボネート等により成形されているので、ダンパー剤には均等に紫外線を照射することができる。それにより、ワイヤ挿通部１７内に延びるワイヤ２２に対して、その外周にゲル化したダンパー剤が接してワイヤ２２の制振作用をなし、また、前記間隙部分でゲル化したダンパー剤により、Ｌ型金属板５，６，７，８におけるワイヤ支持端部１０の高次共振に対する制振作用をなす。
【００２２】
上記ダンパー剤の注入に際し、保持部材３の側壁１８に設けた側面穴２０から注入器によりダンパー剤を注入すると、比較的粘度の高いダンパー剤であってもワイヤ挿通部１７の全体に均等に注入することができるので、ダンパー剤の種類の選択範囲が広がる。また、ダンパー剤はワイヤ挿通部１７のＸ方向における端面と側面穴２０との両方から注入可能であるため、対物レンズ駆動装置１がいかなる姿勢となっていてもダンパー剤の注入作業が行えるため、作業性が改善される。
【００２３】
上記のような対物レンズ駆動装置１においては、幅狭のＬ型金属板５，６，７，８にワイヤ２２を直接ハンダ付けすることができ、また、ワイヤ通孔１１はプレス加工により小径で且つ高精度に形成できるので、前記従来の装置のようにワイヤ６１と金属補強板６３とが接触することがないように、金属補強板６３に大きな開口６８を設け、更にワイヤ６１の端部をＦＰＣ６４のランド部７２に半田付けするために、充分大きなランド部７２を形成しておく必要があること等による高さ方向の寸法の制限がなくなり、また、プレス加工によってフープ状に形成されるＬ型金属板５，６，７，８は互いに近接して配置することができるので、ワイヤ２２を高さ方向において互いに接近させることが可能となり、装置全体を薄型化することができるようになる。
【００２４】
また、従来のもののようにワイヤ接続部全面に高価なＦＰＣを貼り付ける必要がなくなるので、安価な装置とすることができる。
【００２５】
本発明は上記実施例の他、図４に分解斜視図として示すような対物レンズ駆動装置３０とすることができる。即ち、この装置においては、ワイヤ固定部材３１の上面３２に溝型の段部３３を形成しており、この段部３３内に保持部材３５の上壁３６が係合するようにして、保持部材３５のＸ方向に位置決めがなされるようにしている。保持部材３５の下端の両側には、係止部３６を形成したスナップ固定部３７を備えており、図５に示すベース５２の係合孔に対し、保持部材３５の側壁３８及びスナップ固定部３７の弾性により、スナップ式に係合可能としている。
【００２６】
このような構成とすることにより、ワイヤ固定部材３１と保持部材３５とを結合する際、ワイヤ固定部材３１は保持部材３５の嵌合溝４０における端面４１間で保持されると共に、ワイヤ固定部材３１の段部３３に保持部材３５の上壁４４が係合する際に、上壁４４のＸ方向両端が段部３３の嵌合壁面４２間で保持され、両者の位置決めが確実に行われるようになり、製造時の作業が容易になると共に、Ｌ型金属板のワイヤ支持部表面と保持部材３５のワイヤ挿通部端面４３との間隙を確実に一定に保つことができ、この間隙に充填されるダンパー剤が均等となり、ワイヤ支持性能を安定化することができる。
【００２７】
なお、図１〜図３に示す上記実施例においては、ワイヤ固定部材２が図５に示すベース５２に固定され、このワイヤ固定部材２を介して保持部材３がベース５２に対して固定される例を示したが、ワイヤ固定部材と保持部材を別部材とすることなく一つの部材とすることもできる。更に、ワイヤ固定部材に埋設される複数の金属板をＬ形に形成したものを示したが、種々の形状の金属板を採用することができ、また、金属板が半田付けされる第１端部は、フォーカス方向と略直角方向であるならば種々の方向に配置することができる。更に、上記実施例においては、各金属板にワイヤを固定する部分として、ワイヤを挿通するワイヤ通孔を形成した例を示したが、例えばＶ溝等を設けてワイヤを溝中に入れ、半田付けしても良く、また、上記実施例においては、前記金属板の第１端部においてワイヤが半田付けされる個所の近傍にＵ字形の切り込みを形成した例を示したが、金属板全体への熱の拡散を防止できるものであれば、各種形状の切り込み、或いは各種形状の穴を形成する等、実質的な幅狭部を種々の態様で形成することができる。また、レンズホルダを弾性的に支持する部材として、上記実施例ではワイヤを示したが、導電性の細長状金属板等を用いることでもできる。
【００２８】
【発明の効果】
本願の特許請求の範囲の請求項１に係る発明によれば、従来の装置のようなＦＰＣに金属補強板を貼り付けてなる基板を使用することなく、弾性部材を金属板に直接半田付けすることができるので、対物レンズ駆動装置全体を薄型化することができる。また、高価なＦＰＣを用いる必要が無くなるので、安価な装置とすることができ、且つ固定部材に金属板を埋設しているので両者を接着する作業等が不要となり、組立性が向上する。
【００２９】
請求項２に係る発明は、前記金属板の第１端部に、前記弾性部材の基端部が半田付けされる個所の近傍に幅狭部が形成されているので、金属板に弾性部材を半田付けする際、熱が金属板の全体に拡散することを防ぐことができ、半田フィレットを安定成形することができる。。
【００３０】
請求項３に係る発明は、前記弾性部材が挿通されると共にダンパー剤が充填される挿通部を有する保持部材を備え、前記挿通部の端面が前記金属板の第１端部と隙間を介して対向するように前記固定部材と前記保持部材とを接続するようにしたので、固定部材と保持部材とを別部材とすることができ、例えば固定部材を耐熱性樹脂とし、保持部材を透光性樹脂にする等、各部材の機能に最適な素材を選択することができる。また、金属板の第１端部が保持部材の端面と干渉することがないので、弾性部材を確実に弾性保持することができ、しかも、前記挿通部の端面と金属板との隙間にもダンパー剤を充填すれば、弾性部材に対する制振作用がより向上する。
【００３１】
請求項４に係る発明は、前記保持部材の挿通部が、前記弾性部材の長手方向に沿って貫通していると共に前記長手方向と交差する方向にも開口するようにしたので、装置全体がいかなる姿勢となっていても挿通部にダンパー剤を注入することができ、また、前記開口からその内部のワイヤ挿通部に対して均等にダンパー剤を注入することができるので、ワイヤに対する制振作用を一定にすることができると共に、比較的粘度の高いダンパー剤を選択することも可能となり、対物レンズ駆動装置の信頼性を向上することができる。
【００３２】
請求項５に係る発明は、前記固定部材の上面には段部が形成され、前記保持部材には下面側に開口する嵌合溝が形成されており、前記段部を前記嵌合溝に嵌合させることにより前記保持部材が前記固定部材に取り付けられるようにしたので、ワイヤ固定部材と保持部材とを組み合わせて一体化する際に、両者のずれを防止することができ、製造作業が容易となると共に、製造後の装置の精度を向上することができる。
【図面の簡単な説明】
【図１】本発明による対物レンズ駆動装置の実施例の部分斜視図である。
【図２】同装置のワイヤ固定部材と保持部材とを組み立てる前の状態を示す分解斜視図である。
【図３】同装置のワイヤ固定部近傍を示す斜視図である。
【図４】本発明の他の実施例におけるワイヤ固定部材と保持部材とを組み立てる前の状態を示す分解斜視図である。
【図５】従来技術を適用した対物レンズ駆動装置の全体を示す斜視図である。
【図６】同装置におけるワイヤを支持する基板におけるＦＰＣと金属補強板を接合する前の状態を示す斜視図である。
【図７】同装置のワイヤ支持部分近傍の断面図である。
【図８】同装置の分解斜視図である。
【符号の説明】
１  対物レンズ駆動装置
２  ワイヤ固定部材
３  保持部材
５，６，７，８  Ｌ型金属板
１０  ワイヤ支持端部
１１  ワイヤ通孔
１２  ＦＰＣ接続端部
１５  段部
１７  ワイヤ挿通部
１８  側面
１９  ＦＰＣ
２０  側面穴
２２  ワイヤ
２５  切込み
２６  半田
３９  幅狭部
【図１】
0003641168.tif 000002
【図２】
0003641168.tif 000003
【図３】
0003641168.tif 000004
【図４】
0003641168.tif 000005
【図５】
0003641168.tif 000006
【図６】
0003641168.tif 000007
【図７】
0003641168.tif 000008
【図８】
0003641168.tif 000009